(57)【要約】      （修正有）【課題】異状を遠隔ですぐ察知でき、盗難防止効果があるウェブ撮影装置を提供する。【解決手段】主に撮影モジュール１と、垂直方向移動部品２と、外カバー３と、ネットワーク通信管理装置５と、ワイヤレスネットワーク送受信装置６と、ワイヤレスセンサー送受信装置７と、収音装置１１と、拡声装置８と、発光モジュール１５と、からなり、ワイヤレスネットワーク送受信装置６は、離れた場所から撮影画面を見たい時、スマートフォンをワイヤレスネットワーク送受信装置６に接続して離れた場所から見ることができ、使用者は垂直方向移動部品２を遠隔操作し、撮影モジュール１で多視角の撮影ができる。その外に、ワイヤレスセンサー送受信装置７は、さらにワイヤレスセンサー送受信モジュール９にデータ接続され、一つのワイヤレスセンサーネットワークを設け、ワイヤレスセンサー送受信モジュール９及び一つのワイヤレス発信モジュールをデータ接続させ、ワイヤレス発信モジュールを感知モジュールにデータ接続させる。【選択図】図２
0003213115.tif 000002
【実用新案登録請求の範囲】
【請求項１】
一つの撮影モジュールと、一つの垂直方向移動部品と、一つの外カバーと、一つのネットワーク通信管理装置と、少なくとも一つのワイヤレスネットワーク送受信装置と、少なくとも一つのワイヤレスセンサー送受信装置と、少なくとも一つの発光モジュールと、からなるウェブ撮影装置であって、
前記垂直方向移動部品は、前記撮影モジュールに接続され、
前記外カバーは、前記垂直方向移動部品に枢接され、
前記ネットワーク通信管理装置は、前記外カバー内に設けられ、
前記ワイヤレスネットワーク送受信装置は、前記ネットワーク通信管理装置に情報接続され、
前記ワイヤレスセンサー送受信装置は、前記ネットワーク通信管理装置にデータ接続され、
前記発光モジュールは、前記撮影モジュールの片側に設けられるとともに、前記垂直方向移動部品と連動することを特徴とする、ウェブ撮影装置。
【請求項２】
前記ネットワーク通信管理装置は、ネットワークルーターであることを特徴とする、請求項１に記載のウェブ撮影装置。
【請求項３】
前記垂直方向移動部品は一つのモーターであることを特徴とする、請求項１に記載のウェブ撮影装置。
【請求項４】
前記外カバーに、一つの前記ネットワーク通信管理装置と電気的に接続された収音装置及び拡声装置を設けることを特徴とする、請求項１に記載のウェブ撮影装置。
【請求項５】
前記ワイヤレスネットワーク送受信装置は、第三世代移動通信システム（３Ｇ）、または第四世代移動通信システム（４Ｇ）、ワイファイ（Wi-Fi）の内の一つであることを特徴とする、請求項１に記載のウェブ撮影装置。
【請求項６】
前記ワイヤレスネットワーク送受信装置は、少なくとも一つのワイヤレスネットワーク送受信モジュールにデータ接続され、前記ワイヤレスセンサー送受信装置は少なくとも一つのワイヤレスセンサー送受信モジュールにデータ接続され、前記ワイヤレスネットワーク送受信モジュール及び前記ワイヤレスセンサー送受信モジュールは、ワイヤレス信号を送受信するアンテナ装置であり、且つ前記ワイヤレスセンサー送受信モジュールは、離れた所に設けられた一つのワイヤレス発信モジュールにデータ接続されるとともに、前記ワイヤレス発信モジュールは一つの感知モジュールにデータ接続され、さらに前記外カバーの一端に、前記撮影モジュールと、前記垂直方向移動部品と、前記ネットワーク通信管理装置と、前記ワイヤレスネットワーク送受信装置と、前記ワイヤレスネットワーク送受信モジュールと、前記ワイヤレスセンサー送受信装置と、前記ワイヤレスセンサー送受信モジュールと、前記発光モジュールと、電気的に接続された一つの電力入力装置を設けることを特徴とする、請求項１に記載のウェブ撮影装置。
【考案の詳細な説明】
【技術分野】
【０００１】
本考案は、多視角撮影ができるだけでなく、さらにネット接続技術を備えるとともに、発光モジュールを搭載した、多用途のウェブ撮影装置に関する。
【背景技術】
【０００２】
技術世代の進歩の速度は非常に速く、特に通信分野については、さらにますます便利になり、初期のポケットベルから携帯電話に至るまで、さらには現在素早くネット接続ができるスマートフォンに至るまで、進歩の速度はこれほど速く、それゆえネットワーク関連商品が台頭した時には、応用レベルの発展が対応する。映像によってすぐに相手を見ることができるウェブカメラのようなものを例に挙げると、一般的によく用いられるウェブカメラは現在既に非常に普及しており、ＩＰの設定によって、ネット接続を行うことができ、映像の送信など、非常に便利である。しかしながら、一般的に市販のウェブカメラの一部は全方向に動く視角の機能を備えているが、依然として利便性及び多様化の機能に欠けた部分がある。例を挙げると、現在一般家庭または会社商店などはすべていわゆるワイヤレスＬＡＮ（Wi-Fi）の装置を備え、防犯または安全のためにウェブカメラ、防犯監視装置などをさらに装着しているが、これらの装置はすべてばらばらに各場所に独立して設置されており、装置が多すぎて使用環境が乱雑になり、それゆえ、どのようにしてウェブ撮影装置をさらに広く応用し、さらに多様化させることについては、本考案の考案者及びこの業界に関係するメーカーに従事する人が早急に研究改善をしたいと考える分野である。
【考案の概要】
【考案が解決しようとする課題】
【０００３】
本考案の主な目的は、垂直方向移動部品によって、撮影モジュールが、ある一つの角度だけに限らず、多視角を撮影できるようにするとともに、同時にワイヤレスネットワーク送受信装置と、ワイヤレスセンサー送受信装置と、ネットワーク通信管理装置とを搭載することによって、さらに多機能のネットワーク接続ができるというメリットがあり、これにより、本考案は多種機能を備え、一つのウェブ撮影装置に技術を集合させることができる。また、ワイヤレスセンサー送受信装置及びワイヤレスセンサー送受信モジュールと、ワイヤレス発信モジュール及び感知モジュールを設けることによって、使用者が一早く現在の現場の異状を知り、相応の対応措置をとるのに都合が良いようにすることができる。さらに、垂直方向移動部品によって撮影モジュール及び発光モジュールを動かして状態を変えることができ、使用者が不在の時、撮影モジュールを外カバーの外側に向けて撮影を行い、使用者が室内にいる時、垂直方向移動部品によって撮影モジュールの向く方向を変え、発光モジュールを外側向き、撮影モジュールを内側向きにすることによって、使用者に圧迫感を与えにくく、監視されている感じがなくプライバシーを確保できるという機能を備える。
【課題を解決するための手段】
【０００４】
上記の目的を達成することができる本考案の主な構造は、一つの撮影モジュールと、一つの垂直方向移動部品と、一つの発光モジュールと、からなる。撮影モジュールは垂直方向移動部品の片側に接して設けられ、垂直方向移動部品は一つの外カバーに接して設けられ、発光モジュールは垂直方向移動部品に位置し、撮影モジュールの片側に後ろ向きで向かい合わせて設けられる。これ以外に、垂直方向移動部品の片側にさらに一つのネットワーク通信管理装置と、少なくとも一つのワイヤレスネットワーク送受信装置が設けられ、さらに、ワイヤレスネットワーク送受信装置は、さらに一つのワイヤレスネットワーク送受信モジュールにデータ接続される。使用者が離れた所からネットワーク接続をして、リアルタイムで撮影モジュールが撮影した映像を見たい時、スマートフォンをワイヤレスネットワーク送受信装置に接続することによって遠隔監視を行うことができるとともに、垂直方向移動部品を用いて撮影モジュールが撮影する映像の視角を制御することができる。さらに、もし、室内において照らして明るくしたい時、まず垂直方向移動部品を用いて撮影モジュール及び発光モジュールの位置を変え、発光モジュールが外側を向くようにすると、照らして明るくすることができる。ネットワーク通信管理装置のネットワークは、ワイヤレスネットワーク送受信装置を回線事業者のWi-Fiまたは３Ｇまたは４Ｇのようなワイヤレス通信技術を用いたネットワークに接続させる。
【０００５】
さらに、ワイヤレスセンサー送受信装置及びワイヤレスセンサー送受信モジュールによって一つのワイヤレスセンサーネットワークを設け、一つのワイヤレス発信モジュールにデータ接続させ、且つワイヤレス発信モジュールを一つの感知モジュールにデータ接続させる。この感知モジュールは、どこにでも設けることができる感知を行うセンサーであり、感知モジュールが異状を感知した時、すぐにワイヤレス発信モジュールに指令を送信し、ワイヤレス発信モジュールを用いてフィードバック信号を発信し、ワイヤレスセンサー送受信装置及びワイヤレスセンサー送受信モジュールが受信し、それからワイヤレスセンサー送受信装置を経由して、ネットワーク通信管理装置及びワイヤレスネットワーク送受信装置によって情報を使用者の所に送信する。
【図面の簡単な説明】
【０００６】
【図１】本考案の外観立体図である。
【図２】本考案の立体透視図である。
【図３】本考案の回転概略図一である。
【図４】本考案の回転概略図二である。
【図５】本考案の照明モードの接続概略図である。
【図６】本考案の複数人がネット接続をして見ている状態を示した概略図である。
【図７】本考案の防犯監視の概略図である。
【考案を実施するための形態】
【０００７】
図１及び図２を参照する。ウェブ撮影装置は、一つの撮影モジュール１と、一つの垂直方向移動部品２と、一つの外カバー３と、一つのネットワーク通信管理装置５と、少なくとも一つのワイヤレスネットワーク送受信装置６と、一つの拡声装置８と、一つの収音装置１１と、少なくとも一つのワイヤレスネットワーク送受信モジュール１０と、少なくとも一つのワイヤレスセンサー送受信装置７と、少なくとも一つのワイヤレスセンサー送受信モジュール９と、少なくとも一つの発光モジュール１５と、一つの電力入力装置１６と、からなる。
【０００８】
前記垂直方向移動部品２は、前記撮影モジュール１に接続される。また、垂直方向移動部品２はモーターである。
【０００９】
前記外カバー３は、前記垂直方向移動部品２に枢接される。
【００１０】
ネットワーク通信管理装置５は、前記外カバー３内に設けられる。前記ネットワーク通信管理装置５は、ネットワークルーターである。
【００１１】
前記ワイヤレスネットワーク送受信装置６は、前記ネットワーク通信管理装置５にデータ接続される。前記ワイヤレスネットワーク送受信装置６は、ワイファイ（Wi-Fi）、第三世代移動通信システム（３Ｇ）、または第四世代移動通信システム（４Ｇ）の内の一つである。
【００１２】
前記拡声装置８は、前記外カバー３の上方に設けられる。前記拡声装置８はスピーカーである。
【００１３】
前記収音装置１１は、前記外カバー３に設けられる。前記収音装置１１はマイクロホンである。
【００１４】
前記ワイヤレスネットワーク送受信モジュール１０は、前記ワイヤレスネットワーク送受信装置６にデータ接続される。
【００１５】
前記ワイヤレスセンサー送受信装置７は、前記ネットワーク通信管理装置５にデータ接続される。
【００１６】
前記ワイヤレスセンサー送受信モジュール９は、前記ワイヤレスセンサー送受信装置７にデータ接続される。
【００１７】
前記発光モジュール１５は、前記撮影モジュール１の片側に設けられるとともに、前記垂直方向移動部品２と連動する。
【００１８】
電力入力装置１６は、外カバー３の片端に設けられるとともに、撮影モジュール１と、垂直方向移動部品２と、ネットワーク通信管理装置５と、ワイヤレスネットワーク送受信装置６と、ワイヤレスネットワーク送受信モジュール１０と、ワイヤレスセンサー送受信装置７と、ワイヤレスセンサー送受信モジュール９と、発光モジュール１５と、電気的に接続される。また、電力入力装置１６は、Ｅ２６型またはＥ２７型のソケットであり、そのほかに、電力入力装置１６はさらに交直流変換モジュール１７を備える。
【００１９】
さらに、ワイヤレスネットワーク送受信モジュール１０及びワイヤレスセンサー送受信モジュール９は、ワイヤレス信号を送受信するアンテナ装置であり、且つ上記のワイヤレスセンサー送受信装置７は、ワイヤレスセンサーネットワークの制御中枢である。
【００２０】
図１から図５を参照する。本考案は同時に照明機能及び撮影監視の機能を備え、主に電力入力装置１６及び一般的なソケットを用いて接続及び電力導通を行い、且つ交直流変換モジュール１７によって安定的に電源を出力することができる。これにより、使用者が離れた場所から撮影モジュール１が撮影した映像を見たい時、ワイヤレスネットワーク送受信装置６及びスマートフォン１８を用いて離れた場所からネットワークに接続し、スマートフォン１８からリアルタイムで現在の映像画面を見ることができ、視角を動かして見たい時、スマートフォン１８によって垂直方向移動部品２を遠隔操作し、視角を特定の方向に変えることもできる。その外に、使用者が室内に戻った時、撮影モジュール１が使用者の方向に向かって撮影録画し続けることがないように、また、使用者に大きな精神的ストレスや不都合を生じさせるなどの問題が生じないように、垂直方向移動部品２によって撮影モジュール１を使用者に向いた方向の視角から、外カバー３内に向かって視角の向きを変え、同時に発光モジュール１５は使用者の方向への向きに変わるが、撮影モジュール１が外カバー３内に向く時、使用者の必要に応じて作動継続または作動停止のモードにすることができる、このようにして、わずかではあるが使用者が全体的な感覚としてストレスを感じにくくなる。それから、撮影モジュール１が向く方向を変えるだけでなく、さらに発光モジュール１５によって室内の照明とすることができ、且つスマートフォン１８によって発光モジュール１５の明るさを調整することができ、多用途また多機能のメリットを備えることを達成できる。
【００２１】
図２及び図６を参照する。使用者の家族または社員は、スマートフォン１８によって、ネットワーク通信管理装置５に接続されたソフトをインストールし、スマートフォン１８を用いてワイヤレスネットワーク送受信装置６に接続し、ユーザーインターフェースを用いて、調整を行い、制御し、管理する。それから、ネットワーク通信管理装置５のネットワーク信号のソースは、主にワイヤレスネットワーク送受信装置６によって回線事業者のネットワークに接続する。
【００２２】
図７を参照する。ワイヤレスセンサー送受信装置７は、さらに一つのワイヤレスセンサー送受信モジュール９にデータ接続され、且つワイヤレスセンサー送受信モジュール９は、離れた場所に設けられた一つのワイヤレス発信モジュール１２にデータ接続され、またワイヤレス発信モジュール１２は、一つの感知モジュール１３にデータ接続され、これによって、本実施例のワイヤレス発信モジュール１２及び感知モジュール１３は、ドア１４の実施例のように取り付け、見知らぬ人または盗人が感知モジュール１３の感知範囲に侵入した時、すぐにワイヤレス発信モジュール１２によって一つの信号をワイヤレスセンサー送受信モジュール９に送信し、ワイヤレスセンサー送受信モジュール９は、ワイヤレスセンサー送受信装置７を用いて信号をネットワーク通信管理装置５に送信し、ワイヤレスネットワーク送受信装置６及びワイヤレスネットワーク送受信モジュール１０によって、使用者に通知し、リアルタイムでモニタリングできるという長所がある。その外にも、拡声装置８によって放送を行い、音を用いておじけづかせることができ、現場の状態も収音装置１１によって録音を行い、または音を拾って離れた所の使用者に送信することができる。
【符号の説明】
【００２３】
１    撮影モジュール
２    垂直方向移動部品
３    外カバー
５    ネットワーク通信管理装置
６    ワイヤレスネットワーク送受信装置
７    ワイヤレスセンサー送受信装置
８    拡声装置
９    ワイヤレスセンサー送受信モジュール
１０  ワイヤレスネットワーク送受信モジュール
１１  収音装置
１２  ワイヤレス発信モジュール
１３  感知モジュール
１４  ドア
１５  発光モジュール
１６  電力入力装置
１７  交直流変換モジュール
１８  スマートフォン
【図１】
0003213115.tif 000003
【図２】
0003213115.tif 000004
【図３】
0003213115.tif 000005
【図４】
0003213115.tif 000006
【図５】
0003213115.tif 000007
【図６】
0003213115.tif 000008
【図７】
0003213115.tif 000009